(57)【特許請求の範囲】
【請求項１】
外周面が二段重ねの飾り鏡餅形状を呈し且つ下方の開口部から餅が充填収納される中空の包装容器本体の上段天面部に貼着され、片面に飾り具の嵌合穴に嵌着される突起状の固定部、もしくは飾り具を貼り付ける粘着部を有する帯状のジョイント部材を備えて成り、このジョイント部材は、包装容器本体の上段天面部あるいは包装容器本体の上段に着脱可能に嵌着される包覆カップ体の天面部に、左右一対の線条突起によって区画形成された帯状の中央取付ガイド面に貼着されていることを特徴とする鏡餅用飾り具取付具。
【請求項２】
ジョイント部材の両端部には、台形状もしくは二股形状となった幅広な保持延設端面部を有する請求項１記載の鏡餅用飾り具取付具。
【請求項３】
帯状の中央取付ガイド面の両端部は、ジョイント部材両端部の前記保持延設端面部に対応して、二股形状もしくは台形状に形成されて成るガイド端を有する請求項２記載の鏡餅用飾り具取付具。
【発明の詳細な説明】
【技術分野】
【０００１】
本発明は、正月用の飾りとして神仏、床の間等に置かれる二段重ねの飾り鏡餅を長期保存に耐え得るように包装して成る鏡餅用の包装容器本体に、種々の飾り具を取り付けるための鏡餅用飾り具取付具に関する。
【背景技術】
【０００２】
従来、本出願人自身によって出願し、公開された特許文献１に開示されているように、下段が大径な中空状の下段大径部と、上段がこの下段大径部に比し小径な中空状の上段小径部とを内部を連通させた状態で一体状に形成して成る餅容器本体の当該上段小径部の天部面に、帽子形、バケツ形等の頭部装飾部を一体成形によって設けたり、天面部に吸盤部材を介して各種の縁起物を固定したりして成る鏡餅なる技術がある。
【０００３】
また、本出願人自身によって同じく出願し、登録された特許文献２に開示されているように、大小２個の餅によって２段に重ねられた外形を呈し、鏡餅が収納された包装容器と、この包装容器の上部に載置される起き上がりこぼし体と、この起き上がりこぼし体自体を収納する収納部を有して、包装容器に被せられる収納カバー体とを備えて成り、当該起き上がりこぼし体は、底部内に重りを固着した球面底部を備え、その外観は招き猫、七福神、ダルマ、ダイダイその他の縁起物の外観を模して形成してある重ね飾り餅なる技術がある。
【特許文献１】特開２００６−１３６２２２号公報
【特許文献２】登録実用新案第３１３０１２５号公報
【発明の開示】
【発明が解決しようとする課題】
【０００４】
しかしながら、上述した従来においては、特許文献１の技術による場合、餅容器本体の当該上段小径部の天部面に頭部装飾部を一体成形によって設けてあるので、種々の形態の頭部装飾部を形成するためにそれぞれ異なる餅容器本体を成形する必要があることから、その加工成形が複雑なものとなる。
【０００５】
また、特許文献１の技術において、天面部に吸盤部材を介して各種の縁起物を固定する場合には、当該吸盤部材による縁起物の着脱容易性という利点がある反面、長時間使用による吸盤能力の低下または外部からの衝撃、振動その他によって、その縁起物の保持安定性に不具合が生じる虞がある。
【０００６】
また、特許文献２の技術による場合、底部内に重りを固着した球面底部を備え、その外観は招き猫、七福神、ダルマ、ダイダイその他の縁起物の外観を模して成る起き上がりこぼし体自体を収納するための収納部を有して、包装容器に被せられる収納カバー体を備えて成ることから、これも特許文献１の技術による場合と同様に餅容器本体の成形のための加工が複雑なものとなる。しかも縁起物の外観を模して成る起き上がりこぼし体は収納カバー体によって覆われているため、当該起き上がりこぼし体を異なる縁起物に交換する場合には非常に面倒である。
【０００７】
そこで、本発明は叙上のような従来存した諸事情に鑑み創出されたもので、二段重ねの飾り鏡餅が長期保存に耐え得るように包装される包装容器本体に対して複雑な加工を施さなくても、当該包装容器本体に種々の飾り具を容易に且つ安定した状態で取り付けることができ、しかも飾り具の交換取付も容易に行えるものとした鏡餅用飾り具取付具を提供することを目的とする。
【課題を解決するための手段】
【０００８】
上述した課題を解決するため、本発明にあっては、外周面が二段重ねの飾り鏡餅形状を呈し且つ下方の開口部から餅が充填収納される中空の包装容器本体１の上段天面部に貼着され、片面に飾り具４ａ，４ｂ，４ｃの嵌合穴５に嵌着される突起状の固定部６、もしくは飾り具４ａ，４ｂ，４ｃを貼り付ける粘着部１１を有する帯状のジョイント部材７を備えて成るものである。
ジョイント部材７は、包装容器本体１の上段天面部に、左右一対の線条突起８ａ，８ｂによって区画形成された帯状の中央取付ガイド面９に貼着されるものとして構成することができる。
ジョイント部材７は、包装容器本体１の上段に着脱可能に嵌着される包覆カップ体１０の天面部に、左右一対の線条突起８ａ，８ｂによって区画形成された帯状の中央取付ガイド面９に貼着されるものとして構成することができる。
ジョイント部材７の両端部には、台形状もしくは二股形状となった幅広な保持延設端面部７ａを有するものとすることができる。
帯状の中央取付ガイド面９の両端部は、ジョイント部材７両端部の前記保持延設端面部７ａに対応して、二股形状もしくは台形状に形成されて成るガイド端９ａを有するものとすることができる。
【０００９】
以上のように構成された本発明に係る飾り鏡餅用の飾り具取付具にあって、ジョイント部材７は、包装容器本体１の上段天面部に貼着固定された状態で、当該ジョイント部材７の固定部６、もしくは粘着部１１を介して飾り具４ａ，４ｂ，４ｃを固定させる。
このとき、包装容器本体１における左右一対の線条突起８ａ，８ｂによって区画形成された帯状の中央取付ガイド面９は、包装容器本体１へのジョイント部材７の貼着に際し、当該ジョイント部材７の屈曲・位置ズレの無い正確な取り付けを可能にさせる。
同様に、包覆カップ体１０における左右一対の線条突起８ａ，８ｂによって区画形成された帯状の中央取付ガイド面９は、包覆カップ体１０へのジョイント部材７の貼着に際し、当該ジョイント部材７の屈曲・位置ズレの無い正確な取り付けを可能にさせる。
ジョイント部材７両端部における台形状もしくは二股形状となった幅広な保持延設端面部７ａは、包装容器本体１の上段天面部に対する幅広な貼着面積によってその保持力を向上させる。
中央取付ガイド面９の両端部におけるガイド端９ａは、包装容器本体１または包覆カップ体１０の天面部に対するジョイント部材７の一端部側からの貼着に際し、当該ジョイント部材７両端部における台形状もしくは二股形状となった幅広な保持延設端面部７ａの屈曲・位置ズレの無い正確な取り付けを可能にさせる。
【発明の効果】
【００１０】
本発明によれば、二段重ねの飾り鏡餅が長期保存に耐え得るように包装される包装容器本体１に対して複雑な加工を施さなくても、当該包装容器本体１に種々の飾り具４ａ，４ｂ，４ｃを容易に且つ安定した状態で取り付けることができ、しかも飾り具４ａ，４ｂ，４ｃの交換取付も容易に行える。
【００１１】
すなわち、これは本発明が、餅が充填収納される中空の包装容器本体１の上段天面部に帯状のジョイント部材７が貼着され、該ジョイント部材７の片面に飾り具４ａ，４ｂ，４ｃの嵌合穴５に嵌着される突起状の固定部６、もしくは飾り具４ａ，４ｂ，４ｃを貼り付ける粘着部１１を有するので、これにより、包装容器本体１の上段天面部にしっかりと貼着されるジョイント部材７を介して種々の飾り具４ａ，４ｂ，４ｃを容易に且つ安定した状態で取り付けることができ、しかもジョイント部材７に対する飾り具４ａ，４ｂ，４ｃの交換取付も容易に行える。
【００１２】
ジョイント部材７は、包装容器本体１の上段天面部に、左右一対の線条突起８ａ，８ｂによって区画形成された帯状の中央取付ガイド面９に貼着されるものとしたので、ジョイント部材７を包装容器本体１の上段天面部に曲がらずに正確に貼着させることができる。  
【００１３】
ジョイント部材７は、包装容器本体１の上段に着脱可能に嵌着される包覆カップ体１０の天面部に、左右一対の線条突起８ａ，８ｂによって区画形成された帯状の中央取付ガイド面９に貼着されるものとしたので、ジョイント部材７を包覆カップ体１０の天面部に曲がらずに正確に貼着させることができる。
【００１４】
ジョイント部材７の両端部には、台形状もしくは二股形状となった幅広な保持延設端面部７ａを有するので、包装容器本体１の上段天面部に対するジョイント部材７の保持力を向上させる。
【００１５】
帯状の中央取付ガイド面９の両端部は、ジョイント部材７両端部の前記保持延設端面部７ａに対応して、二股形状もしくは台形状に形成されて成るガイド端９ａを有するので、包装容器本体１または包覆カップ体１０の天面部に対するジョイント部材７の一端部側からの貼着に際し、当該ジョイント部材７両端部における台形状もしくは二股形状となった幅広な保持延設端面部７ａを屈曲・位置ズレを生じることなく正確に取り付けることができ、これによってジョイント部材７を途中で屈曲させずに天面部中央に沿って正確に貼着させることができる。
【００１６】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【発明を実施するための最良の形態】
【００１７】
以下、図面を参照して本発明を実施するための最良の一形態を説明する。図において示される符号１は、例えばインジェクション成形等により上下二段の重ね鏡餅形状に成形した例えば硬質のポリプロピレン樹脂等の合成樹脂製による包装容器本体である。
【００１８】
すなわち、包装容器本体１は、図に示すように、その外周面が外側に湾曲突出した湾曲突出部１ａ，１ｂが括れ部１ｃを介して上下方向に連設形成された外形状を有する重ね鏡餅に模した中空の容器となって形成されている。
【００１９】
また、包装容器本体１の下方は開口部２によって開放されており、当該開口部２から包装容器本体１内に餅が充填され、上下二段の重ね鏡餅形状となって固化された状態で餅が収納されるものとしてある。
【００２０】
そして、包装容器本体１の開口部２には環状縁部３が水平に延設されており、開口部２から包装容器本体１内への餅の充填後において、例えば透明なビニール樹脂等の円形状のシール部材（図示せず）の周辺部を環状縁部３に貼り付けることで当該開口部２が封止されるものとしてある。
【００２１】
また、包装容器本体１の上段天面部には、先ず幣紙１２の折り込み中央部分が載せられてから、その上に、各種形態の飾り具４ａ，４ｂ，４ｃを取り付けるための帯状のジョイント部材７が不図示の両面粘着テープもしくは接着剤等を介して貼着される。
【００２２】
このジョイント部材７は、図１および図２に示すように、例えばインジェクション成形等によって、包装容器本体１の上段天面部の彎曲面に沿うように予め彎曲された帯状に成形されると同時に、ジョイント部材７の両端部には、ヤジリ尖端部分が切断されてなる平面略台形状となった幅広な保持延設端面部７ａが一体成形されている。ジョイント部材７は、上段天面部の外形に沿うように予め湾曲形成されるとき、包装容器本体１に装着するにはやや強制的にでも拡開させ、また上段天面部外側面に沿って滑らせながらでも行うことができるようにしてある。
【００２３】
尚、この保持延設端面部７ａは、二股形状で先端に行くに従って互いに末広がりとなった幅広な形状に形成されていても良い。
【００２４】
さらに、ジョイント部材７の片面には、図１および図３に示すように、例えばダイダイ・串刺し状の干し柿・伊勢エビ等の各種形態の飾り具４ａ，４ｂ，４ｃを取り付けるための例えば円形、角形、Ｌ字型等の突起による固定部６が一体成形され、該固定部６を飾り具４ａ，４ｂ，４ｃの底面に形成した例えば円形穴、角穴、断面Ｌ字状フック穴等の嵌合穴５に嵌着させることでこれら飾り具４ａ，４ｂ，４ｃをジョイント部材７に固定させるようにしてある。
【００２５】
例えば、ダイダイによる飾り具４ａの下面には、左右一対の嵌合穴５が形成されており、包装容器本体１の頂部に対応したジョイント部材７の中間部分に一体成形された円板状の台座７ｂ上に左右一対となって突設された突起による固定部６が嵌着されるものとしてある。このとき、台座７ｂ上の固定部６には両面粘着テープを介してダイダイによる飾り具４ａを取り付けるようにしても良い（図９、図１０参照）。
【００２６】
また、串刺し状の干し柿による飾り具４ｂの中央下面には、一つの角穴が形成されており、包装容器本体１の前面部寄りの斜め位置に対応したジョイント部材７の部分に一体成形された角形の突起による固定部６がこの角穴に嵌着されるものとしてある。
【００２７】
さらに、伊勢エビによる飾り具４ｃの前側下面には、前後一対の断面Ｌ字状フック穴による嵌合穴５が形成されており、包装容器本体１の前面部側位置に対応したジョイント部材７の部分に一体成形されたＬ字型の突起による固定部６がこの嵌合穴５に嵌め合わせられた後にスライド係合される掛架状に嵌着されるものとしてある。
【００２８】
次に、以上のように構成された最良の形態についての組立、使用の一例について説明する。尚、包装容器本体１には、この開口部２から内部に餅が充填され、シール部材（図示せず）の周辺部を環状縁部３に貼り付けることで当該開口部２が封止されている。餅自体は、個別包装あるいは包装されていない角餅であっても良いのは勿論である。
【００２９】
先ず、図１に示すように、包装容器本体１の上段天面部中央に例えば幣紙１２の折り込み中央部分を載せておき、その上から、不図示の両面粘着テープもしくは接着剤等を介して帯状のジョイント部材７を一端の保持延設端面部７ａ側から順次長手方向に沿って貼着するか、あるいはジョイント部材７自体の彎曲性あることを利用して強制的にでも拡開させながら嵌め合わせる。
【００３０】
そして、図１および図３に示すように、ジョイント部材７の片面に設けた固定部６に、ダイダイ・串刺し状の干し柿・伊勢エビその他による飾り具４ａ，４ｂ，４ｃを順次取り付ける。
【００３１】
すなわち、ダイダイによる飾り具４ａ下面の左右一対の嵌合穴５に、ジョイント部材７の中間部分に一体成形された台座７ｂ上に左右一対となって突設された突起による固定部６が嵌着されることでダイダイによる飾り具４ａがジョイント部材７に固定される。このとき、台座７ｂ上の固定部６には必要に応じて不図示の両面粘着テープを貼り付けておいても良い。
【００３２】
また、串刺し状の干し柿による飾り具４ｂ下面の角穴による嵌合穴５に、ジョイント部材７の角形の突起による固定部６が嵌着されることで、串刺し状の干し柿による飾り具４ｂがジョイント部材７に固定される。
【００３３】
さらに、伊勢エビによる飾り具４ｃ下面の前後一対の断面Ｌ字状フック穴による嵌合穴５に、ジョイント部材７のＬ字型の突起による固定部６が掛架状に嵌着されることで、伊勢エビによる飾り具４ｃがジョイント部材７に固定される。
【００３４】
こうして、図２に示すように、包装容器本体１に種々の飾り具４ａ，４ｂ，４ｃが容易に且つ安定した状態で取り付けられ、しかも、包装容器本体１から餅を取り出すとき、あるいは飾り具４ａ，４ｂ，４ｃを他の異なる形態の飾り具４ａ，４ｂ，４ｃと交換する際には、嵌合穴５から固定部６を抜脱することで飾り具４ａ，４ｂ，４ｃの取り外しが容易に行える。
【００３５】
また、図４、図５、図８には、鏡餅用飾り具取付具の他例が示されている。尚、ジョイント部材７への飾り具４ａ，４ｂ，４ｃの取り付けの各手順は上記した構成による手順と略同じなので、ここではその詳細な説明は省略する。
【００３６】
すなわち、図４および図８に示すように、包装容器本体１の上段天面部中央には、ジョイント部材７の横幅と略同じ間隔となった左右一対の線条突起８ａ，８ｂが、インジェクション成形時に包装容器本体１裏面側から外方に向けて断面略Ｕ字に窪ませた状態となって形成されており、両線条突起８ａ，８ｂによって挟まれた帯状の面部分をジョイント部材７を貼着するための区画された中央取付ガイド面９とする。
【００３７】
このとき、帯状の中央取付ガイド面９の両端部における左右一対の線条突起８ａ，８ｂ部分は、ジョイント部材７両端部の略台形状の保持延設端面部７ａに対応合致するよう略台形状に形成されたガイド端９ａとしてある。
【００３８】
飾り具４ａ，４ｂ，４ｃの取り付けに際し、先ず、図４に示すように、包装容器本体１の上段天面部の中央取付ガイド面９に、不図示の両面粘着テープもしくは接着剤等を介して帯状のジョイント部材７を貼着する。このとき、ジョイント部材７一端の保持延設端面部７ａを、中央取付ガイド面９の一方のガイド端９ａに合致させてから順次長手方向に沿って貼着するか、あるいは彎曲性あることを利用して強制的にでも拡開させながら嵌め合わせる。そして、ジョイント部材７の他端の保持延設端面部７ａが中央取付ガイド面９の他方のガイド端９ａに合致して貼着される。
【００３９】
また、図６、図７、図８には、鏡餅用飾り具取付具の更に他例が示されている。すなわち、包装容器本体１の上段の湾曲突出部１ａに対応して外周面が外側に湾曲突出され、且つ包装容器本体１の上段天面部に着脱可能に嵌着されるように、下側には窄まっている開口部１０ａを有して成る例えばブリスター成形法にて形成されたカップ状の包覆カップ体１０を備える。
【００４０】
そして、包覆カップ体１０の天面部中央には、図８に示すように、ジョイント部材７の横幅と略同じ間隔となった左右一対の線条突起８ａ，８ｂが、インジェクション成形時に包覆カップ体１０裏面側から外方に向けて断面略Ｕ字に窪ませた状態となって形成されており、両線条突起８ａ，８ｂによって挟まれた帯状の面部分をジョイント部材７を貼着するための区画された中央取付ガイド面９とする。
【００４１】
このとき、ジョイント部材７の両端部に台形状となった幅広な保持延設端面部７ａが形成されていると同時に、帯状の中央取付ガイド面９のガイド端９ａにおける線条突起８ａ，８ｂもジョイント部材７両端部の保持延設端面部７ａに対応して台形状に形成されている。
【００４２】
尚、この保持延設端面部７ａ、および中央取付ガイド面９のガイド端９ａにおける線条突起８ａ，８ｂは、二股形状で先端に行くに従って互いに末広がりとなった幅広な形状に形成されていても良い。
【００４３】
また、図９、図１０には、鏡餅用飾り具取付具の更に他例が示されている。すなわち、包装容器本体１の上段天面部に、先ず幣紙１２の折り込み中央部分が載せられてからその上にジョイント部材７が両面粘着テープ１１を介して貼着される。
【００４４】
ジョイント部材７には、この片面にダイダイ・串刺し状の干し柿・伊勢エビによる飾り具４ａ，４ｂ，４ｃを順次取り付けるための突起による固定部６を形成する替わりに、これら飾り具４ａ，４ｂ，４ｃを粘着固定させるための例えば両面粘着テープ等による粘着部１１ａを形成してある。
【００４５】
この粘着部１１の他の形成例としては、ジョイント部材７の所定の位置に貼着した両面粘着ファスナー、あるいは組み付け時に塗布される接着剤等によって形成することもできる。
【図面の簡単な説明】
【００４６】
【図１】本発明を実施するための最良の形態におけるジョイント部材を介して飾り鏡餅用の包装容器本体に飾り具を取り付ける状態を示す分解斜視図である。
【図２】同じく包装容器本体に飾り具を取り付けた状態の斜視図である。
【図３】同じくジョイント部材に飾り具を取り付ける状態の断面図である。
【図４】包装容器本体の中央取付ガイド面に貼着するジョイント部材を介して飾り具を取り付ける状態を示す分解斜視図である。
【図５】同じく包装容器本体に飾り具を取り付けた状態の斜視図である。
【図６】包装容器本体に被せられる包覆カップ体の中央取付ガイド面に貼着するジョイント部材を介して当該包覆カップ体に飾り具を取り付ける状態を示す分解斜視図である。
【図７】同じく包装容器本体に飾り具を取り付けた状態の斜視図である。
【図８】同じく包装容器本体の上段天面部、または包覆カップ体の天面部における中央取付ガイド面の断面図である。
【図９】ジョイント部材を介して包装容器本体に飾り具を取り付ける他例を示す分解斜視図である。
【図１０】同じくジョイント部材を介して包装容器本体に飾り具を取り付けた状態の斜視図である。
【符号の説明】
【００４７】
１…包装容器本体                        １ａ，１ｂ…湾曲突出部
１ｃ…括れ部                            ２…開口部
３…環状縁部                            ４ａ，４ｂ，４ｃ…飾り具
５…嵌合穴                              ６…固定部
７…ジョイント部材                      ７ａ…保持延設端面部
７ｂ…台座                              ８ａ，８ｂ…線条突起
９…中央取付ガイド面                    ９ａ…ガイド端
１０…包覆カップ体                      １０ａ…開口部
１１…両面粘着テープ                    １１ａ…粘着部
１２…幣紙
【図１】
0004890502.tif 000002
【図２】
0004890502.tif 000003
【図３】
0004890502.tif 000004
【図４】
0004890502.tif 000005
【図５】
0004890502.tif 000006
【図６】
0004890502.tif 000007
【図７】
0004890502.tif 000008
【図８】
0004890502.tif 000009
【図９】
0004890502.tif 000010
【図１０】
0004890502.tif 000011